(57)【要約】      （修正有）【課題】精度管理不良となる原因追及を従来よりも容易に行う。【解決手段】精度管理不良となる原因追及のため、検体分析装置の状態を管理するためのモニタリングデータの生成装置を提供する。生成装置は、検体分析装置の状態をモニタリングするための試料から検体分析装置が取得した測定データに関連する情報を示す試料の情報領域と、検体分析装置の動作に関連する情報を示す動作の情報領域とを、関連づけて時系列で表示するための出力データを生成する処理部を備える。【選択図】図１
2019174424.tif 000002
【特許請求の範囲】
【請求項１】
検体分析装置の状態を管理するためのモニタリングデータの生成装置であって、
前記状態をモニタリングするための試料から前記検体分析装置が取得した測定データに関連する情報を示す試料の情報領域と、前記検体分析装置の動作に関連する情報を示す動作の情報領域とを、関連づけて時系列で表示するための出力データを生成する処理部を備える、
モニタリングデータの生成装置。
【請求項２】
前記試料が、標準試料及び／又は検体である、請求項１に記載のモニタリングデータの生成装置。
【請求項３】
試料が標準試料であり、試料の測定データに関連する情報は、陽性コントロールの測定データ、陽性コントロールにおける濁度の立ち上がり時間、陰性コントロールの測定データ、検量線を作成するためのキャリブレータの測定データ、キャリブレータの測定データに基づいて作成された検量線の傾き、及びこれらのデータについての外部精度管理情報よりなる群から選択される少なくとも一種である、請求項１に記載のモニタリングデータの生成装置。
【請求項４】
前記検体分析装置の動作に関連する情報が、静電容量、定量カウント、試薬の吸引並びに吐出圧力、環境温度、試薬の残量、ソフトウェアバージョン情報、エラーコード、エラー内容、エラー発生日時、動作モニター、及びステータスよりなる群から選択される少なくとも一種である、請求項１から３のいずれか一項に記載のモニタリングデータの生成装置。
【請求項５】
前記試料が検体であり、
前記処理部は、さらに、検体の測定データを複数の検体分析装置から取得し、取得した複数の測定データから、管理対象の検体分析装置の状態を評価するための指標を生成し、
前記管理対象の検体分析装置から取得された測定データを、前記指標と比較可能に前記試料の情報領域に表示するための出力データを生成する、
請求項１から４のいずれか一項に記載のモニタリングデータの生成装置。
【請求項６】
前記出力データが、前記試料の情報領域と、前記測定データを取得した時点の前記検体分析装置の動作に関連する情報を示す前記動作の情報領域とを、関連づけて時系列で表示するためのデータである、請求項１から５のいずれか一項に記載のモニタリングデータの生成装置。
【請求項７】
前記出力データが、前記試料の情報領域と、前記動作の情報領域とを連続した１つの領域内に表示するためのデータである、請求項１から６のいずれか一項に記載のモニタリングデータの生成装置。
【請求項８】
前記出力データが、前記試料の情報領域と、前記動作の情報領域とを連続した１つの領域内に上下方向に並べて表示するためのデータである、請求項７に記載のモニタリングデータの生成装置。
【請求項９】
前記出力データが、前記試料の情報領域と、前記動作の情報領域とを、前記測定データを取得した時点を基準に整列して表示するデータである、請求項７に記載のモニタリングデータの生成装置。
【請求項１０】
前記出力データが、前記試料の情報領域を、前記動作の情報領域よりも上に表示するデータである、請求項８又は９に記載のモニタリングデータの生成装置。
【請求項１１】
前記動作の情報領域は、静電容量、定量カウント、試薬の吸引並びに吐出圧力、環境温度、試薬の残量、ソフトウェアバージョン情報、エラーコード、エラー内容、エラー発生日時、動作モニター、及びステータスよりなる群から選択される複数種類の情報を並べて表示するための領域である、請求項７から１０のいずれか一項に記載のモニタリングデータの生成装置。
【請求項１２】
前記出力データが、前記試料の情報領域と、前記動作の情報領域とを１つの画面内に一部重ねて表示するためのデータである、請求項１から４のいずれか一項に記載のモニタリングデータの生成装置。
【請求項１３】
前記出力データが、前記試料の情報領域と、前記動作の情報領域とを１つの領域内に一部重ねて表示するためのデータである、請求項１から４のいずれか一項に記載のモニタリングデータの生成装置。
【請求項１４】
前記出力データが、前記試料の情報領域と、前記動作の情報領域とをそれぞれ異なるウィンドウに表示し、いずれか１つのウィンドウを指定した時に、他のウィンドウも表示するためのデータである、請求項１から４のいずれか一項に記載のモニタリングデータの生成装置。
【請求項１５】
前記出力データが、前記試料の情報領域と、前記動作の情報領域とをそれぞれ異なるウィンドウに表示し、いずれか１つのウィンドウを指定した時に、他のウィンドウを強調するためのデータである、請求項１から４のいずれか一項に記載のモニタリングデータの生成装置。
【請求項１６】
さらに表示部を備え、
前記処理部は、前記出力データを、前記表示部に表示する、
請求項１〜１５のいずれか一項に記載のモニタリングデータの生成装置。
【請求項１７】
前記出力データが、前記試料の情報と、前記動作の情報とを時系列のグラフで示すためのユーザインターフェースデータである、請求項１から１６のいずれか一項に記載のモニタリングデータの生成装置。
【請求項１８】
請求項１〜１７のいずれか一項に記載の生成装置と、前記生成装置に接続された検体分析装置と、を備える、モニタリングデータの生成システム。
【請求項１９】
請求項１〜１８のいずれか一項に記載の生成装置を準備する工程と、前記生成装置に接続された検体分析装置を準備する工程と、を備える、モニタリングデータの生成システムの構築方法。
【請求項２０】
検体分析装置の状態を管理するためのモニタリングデータの生成方法であって、
前記状態をモニタリングするための試料から前記検体分析装置が取得した測定データに関連する情報を示す試料の情報領域と、前記検体分析装置の動作に関連する情報を示す動作の情報領域とを関連づけて時系列で表示するための出力データを生成する、
前記モニタリングデータの生成方法。
【請求項２１】
検体分析装置の状態を管理するためのモニタリングデータを表示するユーザインターフェース表示画面であって、
前記モニタリングデータは、
前記状態をモニタリングするための試料から前記検体分析装置が取得した測定データに関連する情報を示す試料の情報領域と、前記検体分析装置の動作に関連する情報を示す動作の情報領域とを関連づけて時系列で表示する、
ユーザインターフェース表示画面。
【請求項２２】
検体分析装置の状態を管理するためのモニタリング方法であって、
前記状態をモニタリングするための試料から前記検体分析装置が取得した測定データに関連する情報を示す試料の情報領域と、前記検体分析装置の動作に関連する情報を示す動作の情報領域とを関連づけて時系列で表示するための出力データを生成する工程と、
前記出力データをモニタリングする工程と、
を含む、前記モニタリング方法。
【発明の詳細な説明】
【技術分野】
【０００１】
本開示は、検体分析装置のモニタリングデータの生成装置、検体分析装置、検体分析装置のモニタリングデータ生成システム、前記システムの構築方法、検体分析装置のモニタリングデータの生成方法及び検体分析装置のモニタリング方法に関する。
【背景技術】
【０００２】
特許文献１には、受信手段が、分析装置が所定の精度管理物質を測定することにより得られたサンプルデータを、ネットワークを介して受信するステップ、処理手段が、受信したサンプルデータを蓄積手段に蓄積し、蓄積されたサンプルデータを分析装置毎及び精度管理物質毎に集計するステップ、及び提供手段が、所定期間内に受信したサンプルデータの集計結果を外部精度管理結果として分析装置に提供するステップからなる、ネットワークを介して複数の臨床検査用分析装置と接続された管理装置における精度管理方法が開示されている。
【先行技術文献】
【特許文献】
【０００３】
【特許文献１】特許第４２９０４９０号公報
【発明の概要】
【発明が解決しようとする課題】
【０００４】
臨床検査用分析装置における精度管理は、精度管理用の標準試料を測定し、その結果が所定の精度の範囲に入っているかを指標としてモニタリングされる。万が一、精度管理不良となった場合には、その原因を特定する必要がある。精度管理不良となる原因には、試薬の品質に起因する場合、分析装置の動作に起因する場合等、様々な場合が想定される。しかしながら、特許文献１に記載の精度管理方法では、精度管理不良となる原因追及を行うことが困難であった。
【０００５】
本明細書には、精度管理不良となる原因追及を従来よりも容易に行うことを一課題として開示する。
【課題を解決するための手段】
【０００６】
本開示のある実施形態は、検体分析装置（２０００）の状態を管理するためのモニタリングデータの生成装置に関する。前記モニタリングデータの生成装置は、前記状態をモニタリングするための試料から前記検体分析装置が取得した測定データに関連する情報を示す試料の情報領域と、前記検体分析装置の動作に関連する情報を示す動作の情報領域とを、関連づけて時系列で表示するための出力データを生成する、処理部（７１０ａ）を備える。好ましくは、前記試料は、標準試料及び／又は検体であり得る。このようにすることで、オペレータが一目で検体分析装置の状態を把握するデータを生成することができる。好ましくは、前記出力データは、前記試料の情報領域と、前記測定データを取得した時点の前記検体分析装置の動作に関連する情報を示す前記動作の情報領域とを、関連づけて時系列で表示するためのデータである。このようにすることで、同じ時点での試料の情報と動作の情報を容易に確認することができる。
【０００７】
好ましくは、試料の測定データに関連する情報は、前記試料が標準試料である場合、陽性コントロールの測定データ、陽性コントロールにおける濁度の立ち上がり時間、陰性コントロールの測定データ、検量線を作成するためのキャリブレータの測定データ、キャリブレータの測定データに基づいて作成された検量線の傾き、及びこれらのデータについての外部精度管理情報よりなる群から選択される少なくとも一種である。前記検体分析装置（２０００）の動作に関連する情報が、静電容量、定量カウント、試薬の吸引並びに吐出圧力、環境温度、試薬の残量、ソフトウェアバージョン情報、エラーコード、エラー内容、エラー発生日時、動作モニター、及びステータスよりなる群から選択される少なくとも一種である。好ましくは、前記動作の情報領域は、静電容量、定量カウント、試薬の吸引並びに吐出圧力、環境温度、試薬の残量、ソフトウェアバージョン情報、エラーコード、エラー内容、エラー発生日時、動作モニター、及びステータスよりなる群から選択される複数種類の情報を並べて表示する。このようにすることで、オペレータが容易に検体分析装置（２０００）の状態を詳細に把握するデータを生成することができる。
【０００８】
好ましくは、前記処理部（７１０ａ）は、さらに、検体の測定データを複数の検体分析装置から取得し、取得した複数の測定データから、管理対象の検体分析装置の状態を評価するための指標を生成し、前記管理対象の検体分析装置から取得された測定データを、前記指標と比較可能に前記試料の情報領域に表示するための出力データを生成する。このようにすることで、検体の測定データに基づいて検体分析装置（２０００）の精度をモニタリングするデータを生成することができる。
【０００９】
好ましくは、前記出力データが、前記試料の情報領域と、前記動作の情報領域とを連続した１つの領域内に表示するためのデータである。前記出力データが、前記試料の情報領域と、前記動作の情報領域とを連続した１つの領域内に上下方向に並べて表示するためのデータである。前記出力データが、前記試料の情報領域と、前記動作の情報領域とを、前記測定データを取得した時点を基準に整列して表示するデータである。前記出力データが、前記試料の情報領域を、前記動作の情報領域よりも上に表示するデータである。前記出力データが、前記試料の情報領域と、前記動作の情報領域とを１つの画面内に一部重ねて表示するためのデータである。前記出力データが、前記試料の情報領域と、前記動作の情報領域とを１つの領域内に一部重ねて表示するためのデータである。前記出力データが、前記試料の情報領域と、前記動作の情報領域とをそれぞれ異なるウィンドウに表示し、いずれか１つのウィンドウを指定した時に、他のウィンドウも表示するためのデータである。前記出力データが、前記試料の情報領域と、前記動作の情報領域とをそれぞれ異なるウィンドウに表示し、いずれか１つのウィンドウを指定した時に、他のウィンドウを強調するためのデータである。このように様々な表示形態を備えることにより、オペレータの利便性を高めるデータを生成することができる。
【００１０】
より好ましくは、前記モニタリングデータの生成装置は、さらに表示部を備え、前記処理部は、前記出力データを、前記表示部に表示する。このようにすることで、オペレータが、容易に検体分析装置（２０００）の精度を把握することができる。
【００１１】
さらに好ましくは、前記出力データが、前記試料の情報と、前記動作の情報とを時系列のグラフで示すためのユーザインターフェースデータである。このようにすることで、オペレータが、容易に検体分析装置（２０００）の精度の変化を把握することができる。
【００１２】
本開示の第２の実施形態は、モニタリングデータの生成システム（７０００）に関する。前記モニタリングデータの生成システムは、前記生成装置（３０００）と、前記生成装置に接続された検体分析装置（２０００）と、を備える。
【００１３】
本開示のある実施形態は、モニタリングデータの生成システム（７０００）の構築方法に関する。前記モニタリングデータの生成システムの構築方法は、前記生成装置（３０００）を準備する工程と、前記生成装置に接続された検体分析装置（２０００）を準備する工程と、を備える。
【００１４】
本開示のある実施形態は、検体分析装置（２０００）の状態を管理するためのモニタリングデータの生成方法に関する。前記状態をモニタリングするための試料から検体分析装置（２０００）が取得した測定データに関連する情報を示す試料の情報領域と、前記検体分析装置の動作に関連する情報を示す動作の情報領域とを関連づけて時系列で表示するための出力データを生成する。
【００１５】
本開示のある実施形態は、検体分析装置（２０００）の状態を管理するためのモニタリングデータを表示するユーザインターフェース表示画面に関する。前記モニタリングデータは、前記状態をモニタリングするための試料から前記検体分析装置が取得した測定データに関連する情報を示す試料の情報領域と、前記検体分析装置の動作に関連する情報を示す動作の情報領域とを関連づけて時系列で表示する。
【００１６】
本開示におけるモニタリングデータの生成システム、モニタリングデータの生成方法、ユーザインターフェース表示画面によれば、オペレータが一目で検体分析装置の状態を把握するデータを生成することができる。
【００１７】
本開示のある実施形態は、検体分析装置の状態を管理するためのモニタリング方法に関する。前記モニタリング方法は、前記状態をモニタリングするための試料から前記検体分析装置が取得した測定データに関連する情報を示す試料の情報領域と、前記検体分析装置の動作に関連する情報を示す動作の情報領域とを関連づけて時系列で表示するための出力データを生成する工程と、前記出力データをモニタリングする工程と、を含む。このようにすることで、検体分析装置（２０００）の状態を積極的にモニタリングすることができる。
【発明の効果】
【００１８】
精度管理不良となる原因追及を従来よりも容易に行うことができる。
【図面の簡単な説明】
【００１９】
【図１】従来技術と本開示の違いを示す図である。
【図２】出力データを表示するための画面にログインするための画面の例示である。
【図３】施設のリストを示す図である。
【図４】出力データを１つの領域に示す場合の例示である。
【図５】１つの領域に示される情報の表示例である。
【図６】１つの領域に示される情報の表示例である。
【図７】１つの領域に示される情報の表示例である。
【図８】１つの領域に示される情報の表示例である。
【図９】１つの領域に示される情報の表示例である。
【図１０】１つの領域に示される情報の表示例である。
【図１１】１つの領域に示される情報の表示例である。
【図１２】１つの領域に示される情報の表示例である。
【図１３】１つの領域に示される情報の表示例である。
【図１４】１つの領域に示される情報の表示例である。
【図１５】１つの領域に示される情報の表示例である。
【図１６】１つの領域に示される情報の表示例である。
【図１７】モニタリングデータの生成システムの構成の例を示すブロック図である。
【図１８】モニタリングデータの生成システムの構成の例を示す概略図である。
【図１９】前処理ユニットの例を示す概略図である。
【図２０】測定ユニットの構成の例を示す平面図である。
【図２１】データ処理ユニットのハードウェア構成の例を示すブロック図である。
【図２２】濁度の立ち上がり時間の例を示すグラフである。
【図２３】検量線の一例である。
【図２４】キャリブレータ−コントロールデータベース４１００の例を示す図である。
【図２５】判定結果データベース４０１０ＤＢの例を示す図である。
【図２６】検体処理装置動作データベース４０４０の例を示す図である。
【図２７】施設毎に作成された精度管理情報データベース４０５０ＤＢの例を示す図である。
【図２８】精度管理データの生成装置のハードウェア構成の例を示すブロック図である。
【図２９】検体分析装置とサーバの動作を示すフローチャートである。
【図３０】検体分析装置における判定処理のステップを示すフローチャートである。
【図３１】精度管理データの生成装置における割合算出処理のステップを示すフローチャートである。
【図３２】週次レポートの例を示す図である。
【発明を実施するための形態】
【００２０】
１．検体分析装置のモニタリングデータの生成方法
本開示における第１の実施形態は、臨床検査室、臨床検査センター等に設置される検体分析装置２０００の状態（例えば、分析精度）をモニタリングするためのモニタリングデータの生成方法に関する。
【００２１】
図１に従来技術と本開示の違いを示す。臨床検査では、特許文献１に記載の精度管理方法のように、一般的に検体分析装置２０００の精度をモニタリングするため、各検査項目についての測定データが示す値が既知である標準試料を、検体の測定に先立って、又は同時に測定する。標準試料の測定データは、個々の施設内で常に一定の検査データを取得することができるかモニタリングする内部精度管理の他、検査データに施設間差が無いかモニタリングする外部精度管理にも使用される。しかし、従来は、標準試料の精度管理の情報のみが画面や紙媒体に表示されるのみで、標準試料の情報と検体分析装置２０００自体の動作に関する情報とが関連して表示されていなかった。
【００２２】
本開示においては、試料の情報領域と検体分析装置２０００自体の動作に関連する情報とを関連づけて表示させるための出力データを生成する。
【００２３】
好ましくは、第１の実施形態は、前記状態をモニタリングするための試料から前記検体分析装置が取得した測定データに関連する情報を示す試料の情報領域（以下、「試料の情報領域」とも呼ぶ）と、前記測定データを取得した時点の前記検体分析装置の動作に関連する情報を示す動作の情報領域（以下、「動作の情報領域」ともいう）とを、関連づけて時系列で表示するための出力データを生成する工程を備える。出力データは、ブラウザソフト等を使用して、画面等の出力部２３２，７２０に表示させるためのユーザインターフェースデータである。
【００２４】
試料には、標準試料、及び検体等が含まれる。
【００２５】
試料が検査項目について状態をモニタリングするための標準試料（陽性コントロール、陰性コントロール、キャリブレータ等）である場合、試料の情報には、例えば、標準試料を前記検体分析装置２０００が測定することによって取得した、キャリブレーションデータ４０２０（キャリブレータの測定データ及びその濁度の立ち上がり時間、前記測定データから作成された検量線の傾き等の検量線データ等を含む）、陽性コントロールデータ及び／又は陰性コントロールデータを含むコントロールデータ４０３０（定量データ及び濁度の立ち上がり時間を含む。）、及びこれらのデータについての外部精度管理情報よりなる群から選択される少なくとも一種が含まれる。
【００２６】
検体分析装置の動作に関連する情報には、例えば、静電容量、定量カウント、試薬の吸引並びに吐出圧力、環境温度、試薬の残量、ソフトウェアバージョン情報、エラーコード、エラー内容、エラー発生日時、動作モニター、及びステータスよりなる群から選択される少なくとも一種の検体処理装置２０００の動作データ４０４０（単に「動作データ４０４０」と呼ぶこともある）等が含まれる。
【００２７】
試料の情報領域と、動作の情報領域とを関連づけて表示する一例として、記試料の情報領域と、前記動作の情報領域とを連続した１つの領域内に表示する。好ましくは、前記試料の情報領域と、前記動作の情報領域とは連続した１つの領域内に上下方向に並べて表示される。より好ましくは、前記試料の情報領域は、前記動作の情報領域よりも上に表示される。
【００２８】
試料の情報領域と、動作の情報領域とを関連づけて表示する別の例として、試料の情報領域と、動作の情報領域とを１つの画面内に一部重ねて表示する。好ましくは、試料の情報領域と、動作の情報領域とを１つの領域内に一部重ねて表示する。
【００２９】
試料の情報領域と、動作の情報領域とを関連づけて表示する別の例として、前記試料の情報領域と、前記動作の情報領域とをそれぞれ異なるウィンドウに表示し、いずれか１つのウィンドウを指定した時に、他のウィンドウも表示される。好ましくは、前記試料の情報領域と、前記動作の情報領域とをそれぞれ異なるウィンドウに表示し、いずれか１つのウィンドウを指定した時に、他のウィンドウが強調される。強調されるとは、ウィンドウの色調反転、ウィンドウの拡大表示等を示す。
【００３０】
試料の情報領域には、後述する前記複数の検体において病変がどの程度陽性であるかを示す割合（例えば、陽性率）を前記検体の測定前に収集された複数の判定結果から統計処理により算出された前記指標と共に示す領域（以下、「割合の領域」とも呼ぶ）が含まれてもよい。
【００３１】
出力データの表示方法の一例を、図２〜１５を用いて、説明する。この例は、１つの領域に、必要に応じて、試料の情報領域と、動作の情報領域とを関連づけて表示する。
【００３２】
はじめに、管理施設のオペレータ（管理者）等が、サービスセンタ等の管理施設に設置されている、後述するモニタリングデータの生成装置３０００（以下、単に「生成装置３０００」とも呼ぶ）を起動させ、図２に示すモニタリングシステムへのログイン画面Ａを出力部７２０に表示させる。ログイン画面Ａには、例えば、システム名を表示する領域Ａ１とユーザ名を入力する領域Ａ２と、パスワードを入力する領域Ａ３と、ログイン領域Ａ４が含まれる。オペレータが、ユーザ名、パスワードを入力部７３０から入力し、ログイン領域を選択すると、画面は、図３に示す１つ又は複数の検体分析装置２０００のリストを表示する画面Ｂに切り替わる。
【００３３】
画面Ｂには、例えば、特定の検体分析装置２０００や施設を検索するために、施設名やシリアルナンバー等を入力可能な検索キーワード入力領域Ｂ１、施設名又は機種名を選択可能なプルダウン領域Ｂ２、検体分析装置２０００のリストＢ３、内部精度管理を週単位でレポート画面を表示させるための週次レポート領域Ｂ５（詳細は図３２に示す）と、検査項目が反映する疾患の有無の陽性率を示すレポート画面を表示させるための陽性率レポート領域Ｂ６と、ログイン状態を解除する際に選択されるログオフ領域Ｂ４を含む。さらに、検体分析装置２０００のリストを表示する画面Ｂには、精度管理不良が検出された施設をオペレータに知らせるための警告Ｂ７が表示されてもよい。
【００３４】
検体分析装置２０００のリストＢ３には、施設名（支店名等を含む）、検体分析装置２０００の機種のシリアルナンバーの他、例えば、オペレータがログインした時点での各施設の検体分析装置２０００の状態（ステータス）、前記ステータスになった日時、検体分析装置２０００の機種名及び／又はニックネーム、検体分析装置２０００のデータ処理ユニット２３０に搭載されている解析用ソフトウェアのバージョン情報等が含まれてもよい。
【００３５】
さらに、検体分析装置２０００のリストＢ３には、各検体分析装置２０００の詳細なモニタリング情報を示すための領域Ｂ８が含まれる。この領域Ｂ８を選択することにより、本開示のモニタリングデータを閲覧することができる。
【００３６】
領域Ｂ８を選択すると、試料の情報を閲覧することができる領域（試料の情報領域）と、前記測定データを取得した時点の動作の情報を閲覧することができる領域（動作の情報領域）とを表示するための出力データ（ユーザインターフェースデータ）Ｃを出力した画面が表示される。出力データＣによって表示される画面には、例えば１つの領域Ｅ内に、試薬ロットをプルダウンリストで選択するプルダウンキーＣ１、各検体分析装置２０００の内部精度管理の情報を数値で示す表示領域Ｃ２、及び／又は試料の情報領域と動作の情報領域とのいずれかの時系列のデータがグラフ等で示される複数の表示領域Ｃ３（領域１から１１）が含まれる。また、精度管理不良が検出されている情報に警告Ｃ４が表示されてもよい。また、Ｃ５は領域Ｅをスクロールして表示位置を変更するためのスクロールキーを示す。
【００３７】
次に、ＣＫ−１９の発現量を検査項目とした場合を例示として、個々の表示領域Ｃ３の例を説明する。
【００３８】
図５に、陽性コントロールの濁度の検出時間の時系列グラフ領域Ｄを例示する。時系列グラフ領域Ｄには、グラフ領域Ｄ３と、グラフの表示領域を変更するための選択領域Ｄ４と、グラフに表示されている線又はマークを説明するための凡例領域Ｄ２と、ユーザが閲覧する形式の情報を示すための選択領域Ｄ１を含む。また、グラフ内の点は、分析装置３０００が取得した時点での各試料の情報を反映する値を示している（本開示において以下同じ）。また、精度管理不良が検出されている情報に警告Ｄ５が表示されてもよい。
【００３９】
図６に、陽性コントロールの定量値の時系列グラフの表示領域Ｆを例示する。表示領域Ｆにはグラフの表示領域を変更するための選択領域Ｆ１が含まれてもよい。また、図６には、ＣＫ−１９の発現量を検査項目とした場合の検量線の傾きの時系列グラフの表示領域Ｇを例示する。表示領域Ｇにはグラフの表示領域を変更するための選択領域Ｇ１が含まれてもよい。
【００４０】
図７に、各検体分析装置２０００のステータスのリストを示す表示領域Ｈと、各検体分析装置２０００のエラー履歴のリストを示す表示領域Ｉが例示される。それぞれページには、各リストの表示領域を変更するためのリスト選択領域Ｈ１が表示されてもよい。表示領域Ｈには、各検体分析装置２０００の操作状態を示すステータスの内容と、状態の異なるステータスを識別して表示するためのステータスＩＤと、そのステータスをサーバ４０００が受信した日時等が表示されてもよい。また、リストを、例えばＣＳＶファイルとして出力するための処理を選択する選択領域ａ（本開示において、以下同じ）が表示されてもよい。表示領域Ｉには、各検体分析装置２０００で検出された測定不良（エラー）の内容と、各エラーを識別して表示するためのエラーコードと、そのエラーが検出された日時等が示されてもよい。
【００４１】
図８に、前記エラーの内容を示す表示領域Ｊが例示する。各リストの表示領域を変更するためのリスト選択領域Ｊ１が表示されてもよい。表示領域Ｊには、エラーが検出された検査項目、エラーが標準試料又は検体で検出されたか、前記エラーの推定原因を示すメッセージ等が表示されてもよい。図１６にエラーのパターンと推定原因の関係を示す。
【００４２】
図９に、検量線を作成した際の各キャリブレータの測定値の時系列グラフの表示領域Ｋを例示する。表示領域Ｋにはグラフの表示領域を変更するための選択領域Ｋ１が含まれてもよい。また、各グラフの由来を示す凡例領域Ｋ２が表示されてもよい。また、図９に、ＣＫ−１９の発現量を検査項目とした場合の各ブロック６５における陽性コントロールの測定値を時系列で表示したグラフの表示領域Ｌを例示する。表示領域Ｌにはグラフの表示領域を変更するための選択領域Ｌ１が含まれてもよい。また、各グラフの由来を示す凡例領域Ｌ２が表示されてもよい。また、ブロックごとに表示を切り替えるためのブロック表示領域Ｌ３が含まれてもよい。
【００４３】
図１０に、オペレータが各検体分析装置２０００の陽性コントロールの濁度の立ち上がり時間を確認するための比較表示領域Ｍを例示する。領域Ｍは、領域Ｍに表示させる各検体分析装置２０００の陽性コントロールの濁度の立ち上がり時間を切り替えるためのブルダウン領域Ｍ１と、グラフの表示領域を変更するための選択領域Ｍ２が含まれてもよい。また、図１０に、各検体分析装置２０００の精度を各検体分析装置２０００の間で比較するための、外部精度管理リストＮを例示する。外部精度管理リストＮには、陽性コントロールの濁度の立ち上がり時間、陽性コントロールの定量値等が含まれてもよい。
【００４４】
図１１に、各検体分析装置２０００の動作を時系列で示す例として静電容量を時系列で示すための静電容量の表示領域Ｏを例示する。静電容量は、後述する吸引ノズルにピペットチップが正しく装着されているか否かを検出するための情報である。表示領域Ｏには、グラフの表示領域を変更するための選択領域Ｏ１が含まれてもよい。各グラフの由来を示す凡例領域Ｏ２が表示されてもよい。また図１１には、各検体分析装置２０００が何回検体、標準試料又は試薬を吸引したかをカウントした定量カウントの表示領域Ｐを例示する。定量カウントは、試薬残量と合わせて、各液体が正確な量で分注されたかを評価するために使用される。表示領域Ｐには、グラフの表示領域を変更するための選択領域Ｐ１が含まれてもよい。各グラフの由来を示す凡例領域Ｐ２が表示されてもよい。
【００４５】
図１２に、各検体分析装置２０００のデータ処理ユニット２３０に付属するソフトウェアのバージョン情報のリストを表示する表示領域Ｑを例示する。表示領域Ｑには、ソフトウェアのプログラム名、プログラムバージョン、プログラムの更新日時等が表示されてもよい。
【００４６】
また、図１２に、被検体の体内に病変が陽性であるかを検体毎に判定した判定結果に基づいて算出した、陽性率の算出結果のリストを表示する表示領域Ｒを例示する。表示領域Ｒには、陽性率を算出した母集団の情報（対象）、集計開始日時、集計修了日時、装置数、総リンパ節数、陰性数、陽性数、陽性率が表示されてもよい。
【００４７】
図１３に、試薬のロット毎に乳がんのリンパ節転移の陽性率を時系列でグラフで示す表示領域を例示する。図１３において、矢印は、試薬交換を行った時点、すなわち試薬のロットがかわった時点を示す。図１３において符号１８ａは、９９．７％信頼区間の上限値を示す。符号１８ｂは、９９．７％信頼区間の下限値を示す。符号１８ｃは、実際に検体から取得された判定結果の陽性率の推移を示す。符号１８ｄは、試薬ロットを問わず取得された全判定結果における陽性率の推移を示す。
【００４８】
試薬のロットがかわった直後は、判定結果のｎ数が少ないため、９９．７％信頼区間の上限値及び下限値が大きい傾向にある。しかし、判定結果のｎ数が蓄積するにつれ小さくなる。したがって、試薬ロットを考慮する場合、試薬交換直後は、別のグループで精度をモニタリングする必要がある。
【００４９】
図１４に、５０検体毎に乳がんのリンパ節転移の陽性率を時系列でグラフで示す表示領域を例示する。図１４において符号１９ａは、９９．７％信頼区間の上限値を示す。符号１９ｂは、９９．７％信頼区間の下限値を示す。符号１９ｃは、実際に検体から取得された判定結果の陽性率の推移を示す。符号１９ｄは、試薬ロットを問わず取得された全判定結果における陽性率の推移を示す。
【００５０】
所定の検体数毎に陽性率で精度のモニタリングを行うと、９９．７％信頼区間の上限値及び下限値が安定していることが示されている。したがって、所定の検体数毎に精度のモニタリングを行うことにより、試薬交換等の影響を受けることなく、精度管理を行うことができる。
【００５１】
図１５に、取得した判定結果全体について、乳がんのリンパ節転移の陽性率を時系列でグラフで示す表示領域を例示する。図１５において符号２０ａは、９９．７％信頼区間の上限値を示す。符号２０ｂは、９９．７％信頼区間の下限値を示す。符号１９ｃは、実際に検体から取得された判定結果の陽性率の推移を示す。符号２０ｃは、実際に検体から取得された判定結果の陽性率の推移を示す。
【００５２】
所定の検体数毎に陽性率で精度のモニタリングを行うと、９９．７％信頼区間の上限値及び下限値が安定していることが示されている。したがって、全体の判定結果について精度のモニタリングを行うことにより、試薬交換等の影響を受けることなく、精度管理を行うことができる。
【００５３】
さらに、各表示領域には、例えば、図５に示す精度管理不良となった時点を示す警告Ｄ５、各表示領域において各凡例を選択するためのカーソルＦ２と、各凡例の選択により表示される各情報の具体的な測定データ、前記測定データが取得された日時等を示す領域Ｆ３が表示されてもよい。
【００５４】
本開示において、出力データは、検査項目毎に生成されてもよく、１つの領域に複数の検査項目の試料の情報が含まれてもよい。１つの領域に複数の検査項目の試料の情報を含む場合には、前記複数の検査項目は、同じ検体分析装置２０００で取得可能であることが好ましい。出力データは、同一の検査項目について測定原理の異なる２つの以上の管理対象の検体分析装置２０００から取得された割合を１つの領域に表示するデータであってもよい。出力データは、同一の検査項目について測定原理が同じであり機種が異なる２つの以上の管理対象の検体分析装置２０００から取得された割合を１つの領域に表示するデータであってもよい。
【００５５】
本開示において、検査項目は、病変を検出するための検査である限り制限されない。病変として、虚血性疾患（特に心臓、脳、肺、大腸等）；アレルギー性気管支炎、糸球体腎炎等のアレルギー性疾患；認知症、パーキンソン病、筋萎縮性側索硬化症、重症筋無力症、等の変性疾患（神経、骨格筋等）；急性腎疾患、慢性腎疾患等の腎疾患；腫瘍（良性上皮性腫瘍、良性非上皮性腫瘍、悪性上皮性腫瘍、悪性非上皮性腫瘍）；代謝性疾患（糖尿病等の糖質代謝異常、脂質代謝異常、電解質異常）；感染症（細菌、ウイルス、リケッチア、クラミジア、真菌等、原虫、寄生虫等）等が挙げられる。病変として、より好ましくは心臓又は脳の虚血性疾患；アルツハイマー型（若年性）認知症及び脳血管性認知症を含む神経変性疾患；慢性腎疾患等の腎疾患；悪性上皮性又は悪性非上皮性腫瘍；糖尿病、脂肪肝、肥満等の代謝性疾患が挙げられる。病変として、特に好ましくは悪性腫瘍であり、悪性腫瘍として、例えば、気管、気管支又は肺等から発生する呼吸器系悪性腫瘍（扁平上皮肺がん、小細胞肺がん、大細胞肺がん、腺がん等の肺がんを含む）；上咽頭、食道、胃、十二指腸、空腸、回腸、盲腸、虫垂、上行結腸、横行結腸、Ｓ状結腸、直腸又は肛門部等から発生する消化管系悪性腫瘍；肝臓がん；膵臓がん；膀胱、尿管又は腎臓から発生する泌尿器系悪性腫瘍；卵巣、卵管及び子宮等から発生する女性生殖器系悪性腫瘍；乳がん；前立腺がん；皮膚がん；視床下部、下垂体、甲状腺、副甲状腺、副腎等の内分泌系悪性腫瘍；中枢神経系悪性腫瘍；骨軟部組織から発生する悪性腫瘍等の固形腫瘍が挙げられる。悪性腫瘍として、より好ましくは、肺がん（扁平上皮がん、小細胞がん、大細胞がん、腺がん）等の呼吸器系上皮性悪性腫瘍；胃がん、十二指腸がん、大腸がん（Ｓ状結腸がん、直腸がん等）等の消化管系上皮性悪性腫瘍；肝臓がん；膵臓がん；膀胱がん；甲状腺がん；卵巣がん；乳がん；前立腺がんを挙げることができる。最も好ましくは、乳がん、大腸がん、胃がん、非小細胞肺がんである。
【００５６】
前記腫瘍には、転移性がんも含まれる。がんの転移先としては、リンパ組織、腹腔、胸腔、骨髄、髄膜、肝臓、肺等を挙げることができる。
【００５７】
例えば、検査項目は、測定原理によって分類されてもよい。測定原理として、特定のＤＮＡ配列の有無やｍＲＮＡの発現量を測定する核酸検出法、タンパク質を定性又は定量するための免疫学的測定法、酵素活性や化合物の量を検出する生化学的測定法等を挙げることができる。核酸検出法では、例えばがん遺伝子の発現量等を、ＲＴ−ＬＡＭＰ（Ｒｅｖｅｒｓｅ  Ｔｒａｎｓｃｒｉｐｔｉｏｎ−Ｌｏｏｐ−ｍｅｄｉａｔｅｄ  Ｉｓｏｔｈｅｒｍａｌ  Ａｍｐｌｉｆｉｃａｔｉｏｎ）法、定量ＲＴ−ＰＣＲ法、マイクロアレイ法、ＲＮＡ−Ｓｅｑ法等で測定することができる。また、核酸検出法では、ＰＣＲ法やシーケンシング法等により、例えばＥＧＦＲ（ｅｐｉｄｅｒｍａｌ  ｇｒｏｗｔｈ  ｆａｃｔｏｒ  ｒｅｃｅｐｔｏｒ）遺伝子等の異常（変異等）を検出することができる。この他にも、電気抵抗方式及びフローサイトメトリによる血液検体中の血球数法、血液凝固能測定法、尿検体中の酵素活性や化合物の量を検出する尿定性法、尿検体中の有形成分を検出する尿中有形成分分析法等が検査項目に含まれてもよい。
【００５８】
免疫学的測定法では、腫瘍マーカー等を、ＥＬＩＳＡ（Ｅｎｚｙｍｅ−Ｌｉｎｋｅｄ  ＩｍｍｕｎｏＳｏｒｂｅｎｔ  Ａｓｓａｙ）法で測定することができる。
【００５９】
本開示におけるモニタリングのデータ生成方法が適用される最も好ましい検査項目は、リンパ組織へのがん転移を測定するＣＫ１９  ｍＲＮＡの発現量である。
【００６０】
２．精度管理用指標及び精度管理データの生成方法
複数の検体分析装置２０００から取得した複数の判定結果から、分析精度の管理対象の検体分析装置複数の検体分析装置により陽性又は陰性と判定された検体の割合を、例えば以下の方法に従って、算出することができる。
【００６１】
１つ又は複数の検体分析装置２０００は、生成装置３０００にネットワークを介して通信可能に接続される。この接続は、サーバ４０００を介していてもよい。
【００６２】
検体分析装置２０００では、検体分析装置２０００が測定した測定データに基づいて検体が陽性であるか又は陰性であるか、例えば病変がどの程度陽性であるかに関する判定結果４０１０が取得される。これらのデータは、直接、又はサーバ４０００を介して生成装置３０００に送信される。
【００６３】
生成装置３０００は、判定結果４０１０を、直接、又はサーバ４０００を介して検体分析装置２０００から取得することができる。
【００６４】
例えば、以下のステップにしたがって精度管理データが作成される。
【００６５】
はじめに、検体が陽性であるか又は陰性であるか、例えば病変がどの程度陽性であるかに関する判定結果４０１０が複数の検体分析装置２０００について取得される。複数の検体分析装置から取得した複数の判定結果から、分析精度の管理対象の検体分析装置複数の検体分析装置により陽性又は陰性と判定された検体の割合が算出される。そして前記割合に基づいて精度管理用の指標が生成される。好ましくは、前記管理対象の検体分析装置から得られた前記割合を、前記指標と比較可能に示すための精度管理データ４０５０（出力データ）が生成される。
【００６６】
前記出力データは、ユーザインターフェースデータであり、例えば画面等の出力部７２０にウェブブラウザ等を介して出力され、オペレータ等が閲覧可能となる。ユーザインターフェースデータは、前記割合と前記指標とを時系列のグラフで示すものであることが好ましい。
【００６７】
生成装置３０００を用いて、モニタリングデータ４０５０を生成する方法を例示するが、モニタリングデータ４０５０の生成は、一部、又は全部をオペレータがおこなってもよい。
【００６８】
本開示において、ヒトの検体にかえて、哺乳動物の検体を使用してもよい。哺乳動物として、好ましくは、ヒト、サル、イヌ、ネコ、ウサギ等である。
【００６９】
前記判定結果の生成方法については、後述する検体分析装置の項で説明する。
【００７０】
前記複数の検体分析装置から取得した複数の判定結果から、前記複数の検体分析装置により陽性又は陰性と判定された検体の割合は、例えば複数の検体分析装置から取得された判定結果から病変が陽性と判定された割合、及び／又病変が陰性と判定された割合である。前記複数の検体分析装置は、同一施設に設置されていても、異なる複数の施設に設置されていてもよい。
【００７１】
前記割合は、例えば、病変の陽性率及び／又は陰性率である。したがって、前記複複数の検体分析装置の具体的な数は、割合を求めることができる限り制限されず、少なくとも２である。好ましくは、複数とは５以上、１０以上、２０以上、５０以上、又は１００以上である。
【００７２】
例えば、生成装置３０００が取得した全ての判定結果を母集団として前記割合を算出してもよい。例えば、前記割合は、所定のグループを母集団として母集団ごとに算出してもよい。所定のグループとしては、試薬のロット毎、所定の検体数毎、検体分析装置毎、検体分析装置が設置されている施設毎、機種毎、国や県等の地域毎及び検査担当者毎よりなる群から選択される少なくとも一つのグループを挙げることができる。試薬のロット毎に前記割合を算出する場合には、本実施形態は、検体分析装置２０００から試薬のロットに関する情報を取得する工程を含むことができる。
【００７３】
分析精度の管理対象の検体分析装置により陽性又は陰性と判定された検体の割合は、前記指標と共に精度管理の情報として使用される。前記精度管理の情報は、前記割合と前記指標と比較可能な精度管理データとして生成される。
【００７４】
前記指標は、前記割合を使って精度管理ができる値である限り制限されない。前記指標は、複数の判定結果から統計処理により算出された値であることが好ましい。より好ましくは、前記検体の測定前に収集された複数の判定結果から統計処理により算出された値であることが好ましい。前記指標は、前記割合が算出される際には、既に算出されていることが好ましい。前記指標は、前記指標を生成する時点までの累積検体数によって変動しうる。前記指標は、例えば試薬のロット等が変更された場合、更新されうる。前記指標は、被検体の治療方法が変更された際に、更新されうる。前記複数の判定結果は、同一施設に由来するものであっても、複数の施設に由来するものであってもよい。例えば、指標として、それぞれ信頼区間の上限値及び下限値より選択される少なくとも一つを挙げることができる。また、指標として、母集団における前記割合の平均値、標準偏差、分散等を考慮して求められる値を使用してもよい。例えば、前記指標は、前記指標を生成する時点までに前記複数の検体分析装置から取得した前記割合の平均値であってもよい。好ましくは、指標として信頼区間の上限値及び下限値の両方を使用することができる。信頼区間として好ましくは、９９．７％信頼区間、９９％信頼区間、９５．４％信頼区間、９５％信頼区間、又は６８．３％信頼区間を上げることができる。より好ましくは９９．７％信頼区間である。例えば、９９．７％信頼区間を採用した場合指標の上限値は、（母集団における割合の平均値）＋（３×母集団における割合の標準偏差）であり、下限値は、（母集団における割合の平均値）−（３×母集団における割合の標準偏差）である。信頼区間の算出方法は公知である。
【００７５】
母比率の範囲（信頼区間）の推定式は、以下のとおりである。
【数１】
2019174424.tif 000003
（式中、ｎは試薬ロットが変わってからの検体数、ｐは累積検体の平均値、Ｚは定数を示す）。
【００７６】
前記指標は、生成装置３０００が以前に取得した複数の判定結果を用いて、予め決定しておくことができる。前記複数の判定結果の具体的な数は、信頼できる値を取得できる限り制限されない。
【００７７】
前記割合を、前記割合に対応する指標と共に示すとは、前記割合と前記指標とが例えば１つの画面や１枚の用紙に両方合わせて表示され、少なくとも一時的に両方同時に閲覧されうる状態となる限り制限されない。例えば、前記割合と前記指標の値を並べて示す；前記割合の値を散布図、又はグラフとして示し、そこに前記指標をボーダーラインとして示す等が上げられる。
【００７８】
前記割合は、前記割合に対応する指標と共に示され得る状態で１つの精度管理の情報を構成しうる。
【００７９】
前記割合は、例えば複数の検査項目について、検査項目毎に算出されてもよい。この場合、各割合は、各割合それぞれに対応する指標と共に精度管理の情報として示されうる。
【００８０】
前記精度管理の情報は、ユーザインターフェースデータであるモニタリングデータ４０５０のとして例えば画面、プリンタ等の出力部７２０に出力されうる。モニタリングデータ４０５０が画面等に表示される場合には、ブラウザソフト等を介して表示される。
【００８１】
前記検体分析装置２０００は、判定結果４０１０を取得後、一定時間以内（好ましくは５分以内）に生成装置３０００及び／又はサーバ４０００に送信することが好ましい。また、オペレータ又は生成装置３０００は、前記検体分析装置２０００又はサーバ４０００から、判定結果４０１０を所定の間隔（好ましくは５分おき）で取得することが好ましい。取得されたデータ、及び複数の判別結果から算出された前記割合は、各精度管理の情報に時系列含まれることが好ましい。また、モニタリングデータ４０５０も判定結果４０１０が取得される度にリアルタイムで生成されることが好ましい。このようにすることで、オペレータは、精度管理の異常の発生を、異常の発生から短時間で知ることができる。
【００８２】
３．精度管理方法
本開示のある実施形態は、上記１．で述べた生成方法で生成された指標に基づいて、管理対象の検体分析装置の分析精度を評価する工程を含む、検体分析装置の分析精度を管理するための精度管理方法に関する。
【００８３】
本実施形態において、前記管理対象の検体分析装置から得られた前記割合が、前記指標によって示される範囲から逸脱した場合に、分析精度が低下したと判定する。あるいは、前記指標によって示される範囲にある場合に、分析精度が維持されていると判定する。さらには、分析精度が低下したと判定された場合に、警告等を通知してもよい。警告は、オペレータに通知されてもよく、前記検体分析装置２０００を操作しているユーザに通知されてもよい。また警告は、生成装置３０００の出力部７２０に出力されてもよい。例えば、画面に警告を示すマークを表示してもよい。警告を表示するマークは、その警告が発せられている精度管理の情報の表示領域に合わせて表示されてもよい。
【００８４】
４．モニタリングデータの生成システム及びその構築方法
４−１．システムの構成
図３１は、第３の実施形態にかかるモニタリングデータの生成システム７０００（以下、単に「生成システム７０００」とも呼ぶ）の構成の例を示す概略図である。生成システム７０００は、検体分析装置の状態を管理するためのモニタリングデータの生成装置３０００と、病院又は検査センター等のユーザ施設に設置された検体分析装置２０００とを備える。生成装置３０００は、インターネット又は専用回線等の通信ネットワークを介してデータを通信可能に接続される。本開示において、通信可能に接続されるとは、生成装置３０００と検体分析装置２０００とが直接接続される場合と、サーバ４０００等を介して間接的に接続される場合とを含む。生成システム７０００には、タブレット等の携帯型端末６０００等が含まれていてもよい。前記携帯型端末６０００は、モニタリングデータ４０５０等の閲覧が可能である。検体分析装置２０００及び生成装置３０００については、上述する。生成システム７０００において、検体分析装置２０００及び生成装置３０００は、同一施設に設置されていてもよく、異なる施設に設置されていてもよい。
【００８５】
４−２．システムの構築方法
第４の実施形態は、生成システム７０００は、生成装置３０００を準備する工程と、検体分析装置２０００を準備する工程とを含む、検体分析装置の状態を管理するためのモニタリングデータの生成システムの構築方法に関する。また、本実施形態には、サーバ４０００を準備する工程を含んでもよい。さらに本実施形態には、生成装置３０００と検体分析装置２０００とを通信可能に接続する工程を含んでもよい。
【００８６】
４−３．検体分析装置の構成
本実施の形態に係る検体分析装置２０００は、核酸検出法により特定のＤＮＡ配列の有無やｍＲＮＡの発現量を測定する遺伝子増幅検出装置、免疫学的な手法によりタンパク質等の定性又は定量を行う免疫学的測定装置、生化学的測定法で酵素活性や化合物の量を検出する生化学的測定装置、血液検体中の血球数をカウントする血球計数装置、血液凝固能を評価する血液凝固測定装置、尿検体中の酵素活性や化合物の量を検出する尿定性分析装置、尿検体中の有形成分を検出する尿中有形成分分析装置等であり得る。
【００８７】
好ましくは、検体分析装置２０００は、腫瘍に関する分析を行うよう構成されている。より好ましくは、検体分析装置２０００ががんの転移に関する分析を行うよう構成されている。
【００８８】
図４に、検体分析装置２０００の一例として、遺伝子増幅検出装置の構成の例を示す。検体分析装置２０００は、被検体からの摘出組織等を検体とし、この検体に含まれる標的核酸（標的遺伝子）の存在又は量を測定データとして出力可能なものである。より具体的には、この検体分析装置２０００は、好ましくは、がんリンパ節転移の遺伝子診断システムとして用いられ、人体から切除されたリンパ節（検体）に前処理（ホモジナイズ、抽出処理など）を施して、核酸検出のための測定用試料となる可溶化抽出液を作成し、測定用試料中に存在する標的核酸（標的遺伝子）をＬＡＭＰ法により増幅させ増幅に伴い発生する溶液の濁りを測定することで、標的核酸（がん遺伝子；ｍＲＮＡ）の検出又は定量をおこなう。
【００８９】
この検体分析装置２０００は、例えば術中迅速診断用に用いられ、具体的には、がんなどの手術中の検査に使用されるものである。例えば、術中に切除されたリンパ節から検体分析装置２０００がリンパ節中の癌由来の遺伝子（標的核酸）の濃度を求め、これを参考に医師が術中にがん転移の度合いを診断し、リンパ節の郭清範囲を決定する。したがって、検体分析装置２０００の出力には高い信頼性と迅速性が要求される。
【００９０】
図２に示すように、検体分析装置２０００は、人体などから得られた検体に対してホモジナイズなどの前処理を行って測定用試料を作成するための前処理ユニット２１０と、測定用試料に含まれる標的核酸の検出処理を行う測定ユニット２２０とを有している。また、検体分析装置２は、データ処理又はデータ通信などを行うためのデータ処理ユニット２３０を有している。このデータ処理ユニット２３０は、前処理ユニット２１０及び測定ユニット２２０のそれぞれから測定データを受信したり、前処理ユニット２１０及び測定ユニット２２０に動作指示信号などを送信したりする制御装置としての機能も有している。すなわち、前処理ユニット２１０とデータ処理ユニット２３０とが前処理装置として機能し、測定ユニット２２０とデータ処理ユニット２３０とが核酸検出装置として機能する。また、データ処理ユニット２３０は、ネットワークに接続されており、前述した生成装置３０００又はサーバ４０００との間のデータ送受信機能により、前処理ユニット２１０又は測定ユニット２２０のそれぞれの送信部から送信された測定データ等を、生成装置３０００へ送信することができる。
【００９１】
図１９は、前処理ユニット２１０の構成の例を示す概略図である。図１９に示すように、前処理ユニット２１０は、主に、検体への前処理を行って測定用試料とする前処理部２１１と、前処理が完了した測定用試料を測定する測定部２１２とを備えている。前処理部２１１は、検体が入った容器をセットする検体セット部２１３と、検体セット部２１３にセットされた検体入り容器に前処理用試薬を添加する試薬添加部（試薬分注ピペット）２１４と、検体のホモジナイズを行うためのブレンダー（ホモジナイズ部）２１５、ホモジナイズ（前処理）された測定用試料を分注するピペット（分注部）２１６、ピペット２１６を測定部２１２及び測定ユニット２２０へ移送する移送部（図示省略）を備えている。
【００９２】
前処理ユニット２１０は、データ処理ユニット２３０から測定開始指示信号を受けると、検体セット部２１３の検体に前処理用試薬を添加し（前処理用試薬添加処理）、ブレンダー２１５によって検体をホモジナイズし、測定用試料を作成する（ホモジナイズ処理）。そして、測定用試料をピペット２１６によって吸引し、通常の核酸検出の場合には、ピペット２１６が測定ユニット２２０まで移動し、測定ユニット２２０にセットされたサンプル容器２２にサンプルを注入する。
【００９３】
一方、モニタリングの場合には、前処理用精度管理検体を前処理して作成された測定用精度管理検体を吸引したピペット２１６が吸光度測定セル２１７へ移動し、測定用精度管理検体を測定部２１２の吸光度測定セル２１７に注入する。前記吸光度測定セル２１７には、光源２１８から光が照射され、その光が検出器（受光部）２１９によって検出され、前処理がなされた測定用試料の吸光度が測定される。測定された吸光度（測定データ）は、前処理ユニット２１０の送信部（図示省略）によって、データ処理ユニット２３０へ送信される。なお、前処理としてはホモジナイズに限られるものではなく、核酸の抽出処理などであってもよい。
【００９４】
図２０は測定ユニット２２０の構成の例を示す平面図である。測定ユニット２２０は、図２０に示すように構成されており、この装置の詳細は、特開２００５−９８９６０に記載されている。ここでは、測定ユニット２２０の構成及び動作等を簡単に説明する。まず、前処理ユニット２１０から移動してきたピペットが、サンプル容器台２１のサンプル容器セット孔２１ａにセットされたサンプル容器２２に、前処理されたサンプルを注入する。
【００９５】
試薬容器セット部３０の正面左側のプライマー試薬容器セット孔３１ａ及び酵素試薬容器セット孔３１ｂには、標的核酸、例えばＣＫ１９（サイトケラチン１９）のプライマー試薬が収容されたプライマー試薬容器３２ａ及び酵素試薬が収容された酵素試薬容器３２ｂがセットされている。また、試薬容器セット部３０の正面右側のプライマー試薬容器セット孔３１ａには、内部標準物質のアラビドプシス（Ａｒａｂｉｄｏｐｓｉｓ、以下、「アラビド」という）のプライマー試薬が収容されたプライマー試薬容器３２ａがセットされている。また、正面右側のアラビド容器セット孔３１ｄには、所定量のアラビドが収容されたアラビド溶液容器３２ｄがセットされている。
【００９６】
また、チップセット部４０の凹部（図示せず）に、それぞれ３６本の使い捨て用ピペットチップ４１が収納された２つのラック４２が嵌め込まれている。さらに、各反応検出ブロック６０ａの反応部６１の２つの検出セルセット孔に、検出セル６５の２つのセル部６６ａがセットされている。
【００９７】
この状態で、測定ユニット２２０の動作がスタートすると、まず、分注機構部１０のアーム部１１が初期位置からチップセット部４０に移動された後、チップセット部４０において、分注機構部１０の２つのシリンジ部１２が下方向に移動される。これにより、２つのシリンジ部１２のノズル部の先端が２つのピペットチップ４１の上部開口部に圧入されるので、２つのシリンジ部１２のノズル部の先端にピペットチップ４１が自動的に装着される。そして、２つのシリンジ部１２が上方に移動された後、分注機構部１０のアーム部１１は、試薬容器セット台３１にセットされた標的核酸及びアラビドのプライマー試薬が収容された２つのプライマー試薬容器３２ａの上方に向かってＸ軸方向に移動される。そして、２つのシリンジ部１２が下方向に移動されることにより、２つのシリンジ部１２のノズル部に装着された２つのピペットチップ４１の先端が、それぞれ、２つのプライマー試薬容器３２ａ内の標的核酸及びアラビドのプライマー試薬の液面に挿入される。そして、シリンジ部１２のポンプ部により２つのプライマー試薬容器３２ａ内のＣＫ１９及びアラビドのプライマー試薬が吸引される。
【００９８】
プライマー試薬の吸引後、２つのシリンジ部１２が上方に移動された後、分注機構部１０のアーム部１１は、最も奥側（装置正面奥側）に位置する反応検出ブロック６０ａの上方に移動される。この場合、分注機構部１０のアーム部１１は、奥から２番目〜５番目の他の反応検出ブロック６０ａの上方を通過しないように移動される。そして、最も奥側の反応検出ブロック６０ａにおいて、２つのシリンジ部１２が下方向に移動されることにより、２つのシリンジ部１２のノズル部１２ａに装着された２つのピペットチップ４１が、それぞれ、検出セル６５の２つのセル部６６ａに挿入される。そして、シリンジ部１２のポンプ部を用いて、ＣＫ１９及びアラビドの２つのプライマー試薬がそれぞれ２つのセル部６６ａに吐出される（プライマー試薬分注処理）。
【００９９】
その後、ピペットチップ４１は破棄され、２つのシリンジ部１２のノズル部先端に新しい２つのピペットチップ４１が自動的に装着されたのち、上記とほぼ同様の動作で、酵素試薬容器３２ｂ内の酵素試薬が検出セル６５の２つのセル部６６ａに吐出される（酵素試薬分注処理）。その後、さらに同様に、アラビド溶液容器３２ｄ内のアラビド溶液が検出セル６５の２つのセル部６６ａに吐出される。その後、さらに同様に、サンプル容器２２のサンプル（測定用試料）が検出セル６５の２つのセル部６６ａに吐出される（サンプル分注処理）。これによって、検出セル６５の一方のセル部６６ａには、標的核酸を検出するための試料が調整され、他方のセル部６６ａには、アラビドを検出するための試料が調整される。
【０１００】
上記のセル部内へのプライマー試薬、酵素試薬、アラビド溶液及びサンプルの吐出が行われた後、検出セル６５の蓋閉め動作が行われる。蓋閉め動作が完了した後、反応部６１のペルチェモジュールを用いて、検出セル６５内の液温を約２０℃から約６５℃に加温することにより、ＬＡＭＰ法により標的遺伝子（ＣＫ１９）及びアラビドを増幅する。そして、増幅に伴い生成されるピロリン酸マグネシウムによる白濁を比濁法により検出する。具体的には、濁度検出部６２のＬＥＤ光源部６２ａから、約１ｍｍの直径を有する光を、反応部６１の光照射溝を介して、増幅反応時の検出セル６５のセル部６６ａに照射する。そして、その照射した光をフォトダイオード受光部６２ｂで受光する。これにより、増幅反応時の検出セル６５のセル部６６ａ内の液濁度をリアルタイムで検出（モニタリング）する。フォトダイオード受光部６２ｂで測定したＣＫ１９の測定データ及びアラビドの測定データは、測定ユニット２２０の有する送信部（図示省略）によってデータ処理ユニット２３０に送信される。
【０１０１】
次に、データ処理ユニット２３０の構成について説明する。図２１は、データ処理ユニット２３０の構成を示すブロック図である。データ処理ユニット２３０は、コンピュータ２３０ａによって実現される。図２１に示すように、コンピュータ２３０ａは、本体２３１と、出力部２３２と、入力部２３３とを備えている。本体２３１は、処理部２３１ａ（ＣＰＵ：Ｃｅｎｔｒａｌ  Ｐｒｏｃｅｓｓｉｎｇ  Ｕｎｉｔ、ＧＰＵ：Ｇｒａｐｈｉｃｓ  Ｐｒｏｃｅｓｓｉｎｇ  Ｕｎｉｔ又はＭＰＵ：Ｍｉｃｒｏ  Ｐｒｏｃｅｓｓｉｎｇ  Ｕｎｉｔ）、ＲＯＭ（ｒｅａｄ‐ｏｎｌｙ  ｍｅｍｏｒｙ）２３１ｂ、主記憶部（ＲＡＭ：Ｒａｎｄｏｍ  ａｃｃｅｓｓ  ｍｅｍｏｒｙ）２３１ｃ、補助記憶部（ハードディスク）２３１ｄ、読出装置２３１ｅ、入出力インタフェース２３１ｆ、通信インタフェース２３１ｇ、及び出力インタフェース２３１ｈを備えており、処理部２３１ａ、ＲＯＭ２３１ｂ、主記憶部２３１ｃ、補助記憶部２３１ｄ、読出装置２３１ｅ、入出力インタフェース２３１ｆ、通信インタフェース２３１ｇ、及び出力インタフェース２３１ｈは、バス２３１ｊによって接続されている。主記憶部２３１ｃと補助記憶部２３１ｄとをあわせて記憶部ともいう。
【０１０２】
読出装置２３１ｅは、コンピュータを情報処理ユニット２３０として機能させるためのコンピュータプログラム２３４ａを可搬型記録媒体２３４から読み出し、当該コンピュータプログラム２３４ａをハードディスク２３１ｄにインストールすることが可能である。
【０１０３】
入出力インタフェース２３１ｆには、ケーブルを介して前処理ユニット２１０及び測定ユニット２２０のそれぞれが接続されている。入出力インタフェース２３１ｆは、前処理ユニット２１０及び測定ユニット２２０にデータ通信可能に接続されており、制御信号を前処理ユニット２１０及び測定ユニット２２０に出力することが可能である。かかる制御信号を受信した前処理ユニット２１０及び測定ユニット２２０の制御部（図示せず）がこの制御信号をデコードし、制御信号に対応して各機構部のアクチュエータを駆動する。また、前処理ユニット２１０及び測定ユニット２２０のそれぞれからは、データ処理ユニット２３０へ測定データを送信可能であり、データ処理ユニット２３０が測定データを受信すると、ＣＰＵ２３１ａが当該測定データに対して所定の処理を行う。
【０１０４】
測定ユニット２２０が取得した測定データの処理部２３１ａによる処理についてさらに詳しく説明する。上述したとおり、フォトダイオード受光部６２ｂで測定された標的核酸の測定データ及びアラビドの測定データが測定ユニット２２０から送信される。処理部２３１ａにおいて、横軸に時間、縦軸に濁度（Ｏ．Ｄ．：ＯｐｔｉｃａｌＤｅｎｓｉｔｙ）をとった場合に、図２２に示すような標的核酸の測定データが得られる。そして、この標的核酸の測定データからサンプル中の標的遺伝子（例えば、ＣＫ１９）のコピー数が急増するまでの時間である増幅立ち上がり時間を、処理部２３１ａが検出する。一方、処理部２３１ａは、上記と同様に、アラビドの測定データからも、横軸に時間、立て軸に濁度をとったアラビドの測定データを作成し、その測定データに基づいて、アラビドの増幅立ち上がり時間を取得する。処理部２３１ａは、このアラビドの増幅立ち上がり時間に基づいて、標的核酸の増幅立ち上がり時間を補正する。このような補正をすることによって、サンプル中の増幅阻害物質が測定結果に与える影響を除去することができる。そして、図２３に示す、キャリブレータの測定データから作成された検量線に基づいて、補正された標的核酸の増幅立ち上がり時間から標的遺伝子の発現量すなわち標的核酸の定量データ（コピー数）が算出される。ここで、図２３に示した検量線は、横軸に増幅立ち上がり時間、縦軸に標的核酸コピー数［コピー数／μＬ］をとった曲線であり、一般に、増幅立ち上がり時間が短いほど、標的遺伝子濃度が高くなる。
【０１０５】
また、データ処理ユニット２３０は、後述する生成装置３０００から送信されるモニタリングデータ４０５０を直接、又はサーバ４０００を経由して、受信可能であってもよい。処理部２３１ａは、通信部２３１ｇを介してモニタリングデータ４０５０を受信し、出力部２３１ｈにモニタリングデータ４０５０を表示してもよい。
【０１０６】
４−４．サーバ
第５の実施形態は、サーバ４０００に関する。サーバ４０００は、コンピュータによって実現される。サーバ４０００を実現するコンピュータの構成は、生成装置３０００を実現するコンピュータ７１０の構成と同様であるので、その説明を省略する。
【０１０７】
サーバ４０００を構成するコンピュータの補助記憶部（ハードディスク）には、図３１に示すように、検体分析装置２０００の状態に関する状態情報を記憶するためのキャリブレータ−コントロールデータベース４１００と、判定結果データベース４０１０ＤＢと、検体処理装置動作データベース４０４０と、モニタリング情報データベース４０５０ＤＢが設けられている。
【０１０８】
図２４は、キャリブレータ−コントロールデータベース４１００の例を示す概略図である。キャリブレータ−コントロールデータベース４１００には、例えば、受け付けたデータの番号（受付番号）を格納するフィールドＦ１と、データの受付日を格納するフィールドＦ２と、データの受付時刻を格納するフィールドＦ３と、検体分析装置の機種コードを格納するフィールドＦ４と、各検体分析装置に個別に割り当てられた装置ＩＤを格納するフィールドＦ５と、装置の状態を示す動作状態コード又は装置の異常の種別を示すエラーコードを格納するフィールドＦ６と、データの更新処理を行ったオペレータの氏名を格納するフィールドＦ７と、データの処理区分を格納するフィールドＦ８と、試薬のロットに関する情報（試薬のロット番号等）を格納するフィールドＦ９と、陽性コントロールのコピー数と濁度の立ち上がり時間を格納するフィールドＦ１０と、陰性コントロールのコピー数と濁度の立ち上がり時間を格納するフィールドＦ１１と、第１のキャリブレータのコピー数と濁度の立ち上がり時間を格納するフィールドＦ１２と、第２のキャリブレータのコピー数と濁度の立ち上がり時間を格納するフィールドＦ１３と、第３のキャリブレータのコピー数と濁度の立ち上がり時間を格納するフィールドＦ１４と、３つのキャリブレータから作成された検量線の傾きを格納するＦ１５と、が設けられている。フィールドＦ１０〜フィールドＦ１４は、検査項目毎にデータを格納する。
【０１０９】
図２５は、判定結果データベース４０１０ＤＢの例を示す概略図である。判定結果データベース４０１０ＤＢには、例えば、受付番号を格納するフィールドＦ２１と、データの受付日を格納するフィールドＦ２２と、データの受付時刻を格納するフィールドＦ２３と、検体分析装置の機種コードを格納するフィールドＦ２４と、各検体分析装置に個別に割り当てられた装置ＩＤを格納するフィールドＦ２５と、各検体の識別番号（ＩＤ）を格納するフィールドＦ２６と、各検体の判定結果を検査項目毎に格納するフィールドＦ２７とが設けられている。
【０１１０】
図２６は、検体処理装置動作データベース４０４０の例を示す概略図である。検体処理装置動作データベース４０４０には、例えば、受付番号を格納するフィールドＦ３１と、データの受付日を格納するフィールドＦ３２と、データの受付時刻を格納するフィールドＦ３３と、検体分析装置の機種コードを格納するフィールドＦ３４と、各検体分析装置に個別に割り当てられた装置ＩＤを格納するフィールドＦ３５と、ピペットの静電容量を格納するフィールドＦ３６と、ピペットが定量した定量カウントを格納するフィールドＦ３７と、ピペットの試薬の吸引及び吐出圧力を格納するフィールドＦ３８と、ブロックの環境温度を格納するフィールドＦ３９と、試薬の残量を格納するフィールドＦ４０等が設けられる。
【０１１１】
図２７は、モニタリングデータベース４０５０ＤＢの例を示す概略図である。モニタリングデータベース４０５０ＤＢには、例えば、受付番号を格納するフィールドＦ４１と、データの受付日を格納するフィールドＦ４２と、データの受付時刻を格納するフィールドＦ４３と、検体分析装置の機種コードを格納するフィールドＦ４４と、各検体分析装置に個別に割り当てられた装置ＩＤを格納するフィールドＦ４５と、生成装置３０００が算出した前記割合を格納するフィールドＦ４６とが設けられている。
【０１１２】
上記では、各データベースに受付番号を格納するフィールドと、データの受付日を格納するフィールドと、データの受付時刻を格納するフィールドと、検体分析装置の機種コードを格納するフィールドと、各検体分析装置に個別に割り当てられた装置ＩＤを格納するフィールドとが設けられている実施形態を示したが、各データベースに共通する情報は、別途リストを設けて、そのリストと各データベース内のデータを、例えば受付番号等で紐付けて格納しておいてもよい。
【０１１３】
また、当該コンピュータの補助記憶部には、Ｌｉｎｕｘ（登録商標）、ＵＮＩＸ（登録商標）、マイクロソフト  ウインドウズ  サーバ（登録商標）等のサーバ  オペレーティングシステム（Ｏｐｅｒａｔｉｎｇ  Ｓｙｓｔｅｍ：ＯＳ）等のサーバプログラムがインストールされており、前記コンピュータの処理部（ＣＰＵ）が前記データベースサーバプログラムを実行することにより、当該コンピュータがサーバ４０００として機能する。検体分析装置２０００から送信された判定結果４０１０、キャリブレーションデータ４０２０、コントロールデータ４０３０、検体処理装置２０００の動作データ４０５０は、例えば、サーバの通信部を介して、サーバの補助記憶部に記憶される。
【０１１４】
４−５．モニタリングデータの生成装置
図２８は、生成装置３０００の構成の例を示すブロック図である。生成装置３０００は、コンピュータ７ａによって実現される。図２８に示すように、生成装置３０００は、本体７１０と、画面、プリンタ等の出力部７２０と、キーボード、又はタッチパネル等の入力部７３０とを備えている。本体７１０は、処理部（ＣＰＵ、ＧＰＵ、又はＭＰＵ）７１０ａ、ＲＯＭ７１０ｂ、主記憶部（ＲＡＭ）７１０ｃ、補助記憶部（ハードディスク）７１０ｄ、読出装置７１０ｅ、入出力インタフェース７１０ｆ、通信部（通信インタフェース）７１０ｇ、及び出力インタフェース７１０ｈを備えており、処理部７１０ａ、ＲＯＭ７１０ｂ、補助記憶部７１０ｃ、ハードディスク７１０ｄ、読出装置７１０ｅ、入出力インタフェース７１０ｆ、通信部７１０ｇ、及び出力インタフェース７１０ｈは、バス７１０ｊによって接続されている。
【０１１５】
読出装置７１０ｅは、コンピュータを生成装置３０００として機能させるためのコンピュータプログラム７４０ａを可搬型記録媒体７４０から読み出し、当該コンピュータプログラム７４０ａを補助記憶部７１０ｄにインストールすることが可能である。
【０１１６】
また補助記憶部７１０ｄには、電子メールプログラムがインストールされていてもよい。前記電子メールプログラムを実行することにより生成装置３０００は、電子メールシステムのクライアントとして機能し、電子メールを送信することが可能となる。
【０１１７】
さらに補助記憶部７１０ｄには、ウェブブラウザプログラムがインストールされていてもよい。かかるウェブブラウザプログラムを処理部７１０ａが実行することにより、生成装置３０００は、ウェブクライアントとして機能し、サーバ４０００から取得した各種データ及び処理部７１０ａが生成したモニタリングデータ４０５０を、出力部７２０にウェブページとして表示することができる。
【０１１８】
サーバ４０００は、生成装置３０００と、一体化していてもよい。この場合、生成装置３０００の補助記憶部７１０ｃに上記３−４．で述べた各データベースが格納される。
【０１１９】
４−６．検体分析装置の動作
図２９を用いて、検体分析装置２０００の動作の例を説明する。ここでは、サーバ４０００に、上記３−４．で述べた各データベースが格納されている例を用いて説明するが、上記３−５．で述べたとおり、サーバ４０００は、生成装置３０００と一体であってもよい。
【０１２０】
検体分析装置２０００は、検査開始前に起動される（ステップＳ１０１）。起動処理は次のようにして実行される。検体分析装置２００の測定ユニット２２０には図示しない電源ボタンが設けられており、電源ボタンがユーザによって押下されることで測定ユニット２２０の電源がオンされる。電源がオンされると、測定ユニット２２０は、機構部の原点調整及び動作確認を実行し、スタンバイ状態に移行して起動処理が完了する。データ処理ユニット２３０の処理部２３１ａは、測定ユニット２２０がスタンバイ状態に移行したことを検出すると、検体分析装置２０００が起動されたことを通知するための通信データを生成し、サーバ４０００へ通信部２３１ｇを介して送信する（ステップＳ１０２）。前記通信データには、検体分析装置の機種コード、検体分析装置の装置ＩＤ、検体分析装置の動作状態コードが含まれる。
【０１２１】
データ処理ユニット２３０のハードディスク２３１ｄには、その検体分析装置２０００の機種コード及びシリアル番号が記憶されている。また、動作状態コードは、検体分析装置が起動した状態（起動状態）が“０”、検量線作成のためにキャリブレータの測定を開始する状態（検量線測定開始状態）が“１”、検量線作成のためにキャリブレータの測定を終了した状態（検量線測定終了状態）が“２”、作成された検量線がユーザによって承認された状態（検量線バリデーション状態）が“３”、検体の測定を開始する状態（サンプル測定開始状態）が“４”、検体の測定を終了した状態（サンプル測定終了状態）が“５”、検体分析装置（測定ユニット）がシャットダウンされる状態（測定ユニット終了状態）が“６”とされる。データ処理ユニット２３０の処理部２３１ａは、上記ステップＳ１０２の処理において、補助記憶部２３１ｄに記憶されているに記憶されている機種コード及びシリアル番号と、その時の装置状態に対応する動作状態コード（この場合は“０”）とを紐付けて通信データを生成する。前記通信データには、動作データ４０４０が含まれていてもよい。
【０１２２】
次に、例えば、各検査項目に対応した核酸、タンパク質、化合物等の定量に使用する検量線の作成が行われる。検量線の作成は、キャリブレータが測定ユニット２２０によって測定されることによって行われる。キャリブレータは、例えば検査項目の標準物質を所定量含むものである。検量線の作成には標準物質の量が異なる２〜３種類のキャリブレータが用いられることが好ましい。以下、検査項目がｍＲＮＡ（標的核酸）の発現量を測定する項目である場合を例として処理部２３１ａの処理を説明する。
【０１２３】
上記３つのキャリブレータをそれぞれに収容したサンプル容器２２は、検量線作成処理に先だって、測定ユニット２２０のサンプル容器台２１にユーザによってセットされる。そして、ユーザが、測定ユニット２２０の検量線作成処理（キャリブレータ測定処理）を開始するために、データ処理ユニット２３０の入力部２３３によって開始指示を入力する。処理部２３１ａは、かかる検量線測定の開始指示を受け付けると（ステップＳ１０３）、検量線測定開始を通知するための通信データを生成し、サーバ４０００又は生成装置３０００へ、通信部２３１ｇを介して送信する（ステップＳ１０４）。この通信データには、検量線測定開始状態を示す動作状態コード“１”が含まれる。その後、検体分析装置２０００がキャリブレータの測定を実行する（ステップＳ１０５）。
【０１２４】
ステップＳ１０５の処理について具体的に説明する。測定ユニット２２０は、測定開始指示の信号を受信すると、３つのキャリブレータのそれぞれについて、プライマー試薬分注処理、酵素試薬分注処理、サンプル容器２２のキャリブレータを検出セル６５の１つのセル部６６ａに分注するキャリブレータ溶液分注処理を行う。その後、測定ユニット２２０は、検出セル６５内の液温を核酸の変性、プライマーのアニーリング、及び伸長反応に必要な温度に制御することにより、ＬＡＭＰ（遺伝子増幅）反応により標的核酸を増幅し、濁度検出部６２によって、増幅反応時の検出セル６５のセル部６６ａ内の液濁度を検出する検出処理を行う。
【０１２５】
そして、測定ユニット２２０は、検出された濁度を反映する光学情報（測定データ）を、データ処理ユニット２３０に送信する。処理部２３１ａは、測定ユニット２２０から、それぞれのキャリブレータの測定データを受信すると、前記測定データの解析処理を行う。解析処理では、それぞれのキャリブレータの濁度立ち上がり時間を算出する。なお、濁度立ち上がり時間は、測定データとして得られた濁度が所定値を超えるまでの時間として算出される。処理部２３１ａは、現在保有する検量線又は各キャリブレータのコピー数に応じた濁度に基づき、各キャリブレータについて算出された立ち上がり時間から、新たな検量線を作成する。
【０１２６】
検量線を作成した後、処理部２３１ａは、検量線測定終了を通知するための通信データを生成し、サーバ４０００へ通信部２３１ｇを介して送信する（ステップＳ１０６）。この通信データには、検量線測定終了状態を示す動作状態コード“２”、キャリブレーションデータ４０２０と、動作データ４０４０とが含まれていてもよい。
【０１２７】
作成された検量線はデータ処理ユニット２３０の出力部２３２に表示される。処理部２３１ａは、ユーザ等によって当該検量線の認証（バリデート）を受け付けてもよい。ユーザは、出力部２３２に表示された検量線を確認し、検量線に異常がなければその検量線のバリデートを実行する。処理部２３１ａは、かかる検量線のバリデートを受け付けると（ステップＳ１０７）、検量線のバリデートが実行されたことを通知するための通信データを生成し、サーバ４０００へ通信部２３１ｇを介して送信する（ステップＳ１０８）。この通信データには、検量線バリデーション状態を示す動作状態コード“３”と、キャリブレーションデータ４０２０と、動作データ４０４０とが含まれる。
【０１２８】
上記キャリブレータの濁度の立ち上がり時間及びキャリブレータの測定データは、データ処理ユニット２３０からサーバ４０００へ通信部２３１ｇを介して送信される。これらの測定データには、立ち上がり時間及びキャリブレータのコピー数の他、キャリブレータを測定した検体分析装置の装置ＩＤ、キャリブレータのロット番号、測定日時といった情報が含まれている。
【０１２９】
次にユーザは、検体を用いて前処理を実行する。検体測定の際には、組織等が前処理ユニット２１０の検体セット部２１３にセットされる。そして、ユーザが、検体の前処理を開始するために、検体分析装置２０００のデータ処理ユニット２３０の入力部２３３によって検体測定の開始指示を入力する。処理部２３１ａは、かかる検体測定の開始指示を受け付けると（ステップＳ１０９）、検体測定開始を通知するための通信データを生成し、サーバ４０００へ送信する（ステップＳ１１０）。この通信データには、サンプル測定開始状態を示す動作状態コード“４”が含まれる。
【０１３０】
ステップＳ１０９の処理について具体的に説明する。前処理ユニット２１０は、測定開始指示の信号を受信すると（ステップＳ１１１）、前処理部２１１によって検体に前処理用試薬添加処理とホモジナイズ処理を行い、測定用試料を作成する。この測定用試料は、前処理ユニット２１０の測定部２１２に供され、吸光度が測定される。吸光度の測定データは、処理部２３１ａによってサーバ４０００へ通信部２３１ｇを介して送信される（ステップＳ１１２）、前処理。処理部２３１ａは、前処理における前処理ユニット２１０の動作データをステップＳ１１０で、サーバ４０００に送信してもよい。
【０１３１】
次に、処理部２３１ａは、検体の測定と測定ユニット２２０の精度管理を行うための精度管理試料（以下、単に「コントロール」ともいう）の測定を実行する。コントロールとしては、標的核酸を既知の量で含むとともに内部標準核酸（植物由来の核酸；人体が有しない核酸）であるアラビドを含まない陽性コントロール（第１核酸検出用精度管理物質）と、内部標準核酸であるアラビドを既知量含むとともに標的核酸を含まないＩｎｔｅｒｎａｌコントロール（アラビドコントロール；陰性コントロール）の２種類が用いられる。
【０１３２】
陽性コントロールを収容したサンプル容器２２と、アラビドコントロールを収容したサンプル容器２２は、測定ユニット２２０のサンプル容器台２１にセットされる。
【０１３３】
測定ユニット２２０は、測定開始指示の信号を受信すると、分注機構部１０に近い方のブロック６０ａから検体から調製された測定用試料を分注する検体分注処理を行う。１つのブロック６０ａに１つの検出セル６５が設けられており、１つの検出セル６５に対して１検体分の測定試料が割り当てられる。１つの検出セル６５には２つセル部６６ａが設けられているため、１つの検出セル６５で１つの測定用試料を２重測定することができる。２つのセル部６６ａに、同じ測定用試料を分注してもよいが、一方のセル部６６ａに加える測定用試料を希釈してもよい。このようにすることで増幅の頭打ちを防ぐことができるため、測定試料に含まれる標的核酸のコピー数が多い場合、より正確に定量することができる。検体から調製された測定試料の分注が終わると、サンプル容器２２の陽性コントロールを検出セル６５の一方のセル部６６ａに分注し、陰性コントロールを他方のセル部６６ａに分注する溶液分注処理を行う。続いて測定試料又はコントロールが分注されたセル部６６ａにプライマー試薬分注処理及び酵素試薬を分注する試薬分注処理を行う。その後、測定ユニット２２０は、検出セル６５内の液温を核酸の増幅に適した温度に制御することにより、ＬＡＭＰ法により標的核酸及びアラビドを増幅し、濁度検出部６２によって、増幅反応時の検出セル６５のそれぞれのセル部６６ａ内の濁度をリアルタイムで検出（モニタリング）する検出処理を行う（ステップＳ１１３）。検出処理の結果は、処理部２３１ａによってサーバ４０００へ通信部２３１ｇを介して送信される（ステップＳ１１４）。処理部２３１ａは、検出処理における測定ユニット２２０の動作データをステップＳ１１３で、サーバ４０００に送信してもよい。
【０１３４】
測定ユニット２２０によって測定試料、陽性コントロール及び陰性コントロールの測定データが検出されると、その光学情報（測定データ）が処理部２３１ａによって解析される。解析処理では、濁度の増幅立ち上がり時間、標的核酸又はアラビドの定量値（コピー数）が算出される（ステップＳ１１５）。濁度の増幅立ち上がり時間は、光学情報として得られた濁度が所定値を超えるまでの時間として算出される。
【０１３５】
処理部２３１ａは算出された標的核酸又はアラビドの発現量のデータをサーバ４０００へ、通信部２３１ｇを介して送信する（ステップＳ１１６）。また、処理部２３１ａは算出された標的核酸の発現量のデータを出力部２３２に表示する。
【０１３６】
次に、処理部２３１ａは、定量的な測定データ（増幅立ち上がり時間、コピー数）から、診断支援のための定性的な判定結果４０１０（定量している標的核酸が反映する病変が陽性か陰性か）を判定する（ステップＳ１１７）。この判定は、図３０に示すように、例えば、コピー数と基準範囲を比較し（ステップＳ３０１）、コピー数が第１の基準範囲（例えば２５０以下）の場合、又は図２２に示す測定データにおいて、所定時間が経過しても濁度が閾値に到達しない場合は「ＮＤ」、コピー数が第２の基準範囲（例えば、２５０より大きく５×１０３まで）内であれば「＋」、コピー数が第３の基準範囲（例えば、５×１０３より大きい）であれば「＋＋」として判定する（ステップＳ３０２）。ここで、「ＮＤ」は「転移は検出されない」、「＋」は「転移は少ない」、「＋＋」は「転移が認められる」というように定性的ながん転移の度合いを示している。コピー数が第４の基準範囲（例えば２５０より大きい）である場合に「転移が陽性である」と（ステップＳ３０３）、コピー数が第１の基準範囲であるか濁度が閾値未満の時に「転移が陰性である」と判定してもよい（ステップＳ３０４）。検体分析装置２０００が、定量的な測定データ（がん由来細胞の量）から確定診断支援に役立つ定性的な結果を求めて表示することで、医師は、術中に迅速に診断を行い、郭清範囲を決定することができる。処理部２３１ａは判定結果４０１０をサーバ４０００へ、通信部２３１ｇを介して送信する（ステップＳ１１８）。また、処理部２３１ａは判定結果４０１０を出力部２３２に表示する。
【０１３７】
上記のような判定が終了した時に、処理部２３１ａは、検体測定終了を通知するための通信データを生成し（ステップＳ１１９）、サーバ４０００へ、通信部２３１ｇを介して送信してもよい（ステップＳ１２０）。この通信データには、検体測定終了状態を示す動作状態コード“５”と、動作データ４０４０とが含まれる。また、処理部２３１ａは、出力部２３２（例えば、画面）に出力する。
【０１３８】
検体分析装置２０００の動作を停止する時、例えば、ユーザはデータ処理ユニット２３０の入力部２３３を操作して、シャットダウンの指示を入力する。ＣＰＵ２３１ａは、かかるシャットダウン指示を受け付けると（ステップＳ１２１）、検体分析装置２のシャットダウンを通知するための通信データを生成し、サーバ４０００へ送信する（ステップＳ１２２）。この通信データには、測定ユニット終了状態を示す動作状態コード“６”が含まれる。また、処理部２３１ａは、検体分析装置２０００のピペットの吸引動作回数等の動作履歴を含む動作データ４０４０を生成し、サーバ４０００へ送信する（ステップＳ１２３）。検体分析装置２０００のシャットダウンが完了すると、処理部２３１ａは処理を終了する。
【０１３９】
４−７．サーバの動作
サーバ４０００は、上記３−６．で述べた検体分析装置２０００の動作に合わせて以下の処理を行う。図２９を用いて、サーバ４０００の動作を説明する。
【０１４０】
サーバ４０００は、図２９のステップＳ１０２で送信された起動処理に関連する通信データを受信し（ステップＳ２０１）、検体処理装置動作データベース４０４０に蓄積する（ステップＳ２０２）。
【０１４１】
サーバ４０００は、図２９のステップＳ１０４で送信された検量線測定開始指示に関連する通信データを受信し（ステップＳ２１１）、検体処理装置動作データベース４０４０に蓄積する（ステップＳ２１２）。
【０１４２】
サーバ４０００は、図２９のステップＳ１０６で送信された、キャリブレーションデータ４０２０を受信すると（ステップＳ２２１）、そのデータをキャリブレータ−コントロールデータベース４１００に蓄積する（ステップＳ２２２）。また、サーバ４０００は、各施設に設置された複数の検体分析装置から送信された複数のキャリブレーションデータを用いて統計処理を施す。具体的には、複数の施設に設置された検体分析装置２０００（データ処理ユニット２３０）から送信されたデータに基づき、検査項目毎に、１日単位での平均値と標準偏差１ＳＤとが求められる。また、サーバ４０００は、標準偏差１ＳＤを２倍した２ＳＤ、標準偏差１ＳＤを３倍した３ＳＤも求める。これらの１日単位の測定データの平均値、１ＳＤ、２ＳＤ、３ＳＤは、サーバ４０００のモニタリングデータベース４０５０ＤＢに蓄積される。なお、モニタリングデータベース４０５０ＤＢには、精度管理の基準となる検体分析装置である基準機のデータも蓄積される。
【０１４３】
サーバ４０００は、図２９のステップＳ１０８で送信された、検量線バリデートの受付に関する通信データを受信すると（ステップＳ２３１）、そのデータをキャリブレータ−コントロールデータベース４１００に蓄積する（ステップＳ２３２）。
【０１４４】
さらに、サーバ４０００は、図２９のステップＳ１０８で送信された通信データを受信すると、算出された平均値と、１ＳＤ、２ＳＤ又は３ＳＤとに基づいて、検量線作成処理が正常であるか否かを判定する。１ＳＤ、２ＳＤ、３ＳＤは、それぞれ、受信した測定データが正常か否かの基準値となり得るものであり、各施設によって基準値として１ＳＤ、２ＳＤ、３ＳＤのどれを使用するかが選択されており、選択された基準値が判定に用いられる。かかる判定結果も、モニタリングデータベース４０５０ＤＢに登録される。
【０１４５】
サーバ４０００は、図２９のステップＳ１１０で送信された、測定の開始指示の受付に関する通信データを受信すると（ステップＳ２４１）、そのデータを検体処理装置動作データベース４０４０に蓄積する（ステップＳ２４２）。
【０１４６】
サーバ４０００は、図２９のステップＳ１１２で送信された、検体前処理の開始指示の受付に関する通信データを受信すると（ステップＳ２５１）、そのデータを検体処理装置動作データベース４０４０に蓄積する（ステップＳ２５２）。
【０１４７】
サーバ４０００は、図２９のステップＳ１１４で送信された、コントロールデータ４０３０を受信すると（ステップＳ２６１）、そのデータをキャリブレーション−コントロールデータベース４１００へ格納する（ステップＳ２６２）。
【０１４８】
また、サーバ４０００は、各施設に設置された複数の検体分析装置２０００から送信された複数のコントロールデータ４０２０に統計処理を施す。具体的には、複数の検体分析装置２０００からそれぞれ送信されたコントロールデータ４０２０に基づき、１日単位での平均値と標準偏差１ＳＤを求める。また、サーバ４０００は、標準偏差１ＳＤを２倍した２ＳＤ、標準偏差１ＳＤを３倍した３ＳＤも求める。これらの１日単位の測定データの平均値、１ＳＤ、２ＳＤ、３ＳＤは、サーバ４０００内のモニタリングデータベース４０５０ＤＢに登録される。なお、モニタリングデータベース４０５０ＤＢには、基準機においてコントロールを測定することにより得られたコントロールデータも蓄積される。
【０１４９】
さらに、サーバ４０００の処理部は、図２９のステップＳ１１６で送信された、定量値に関する通信データを受信すると（ステップＳ２７１）、算出された平均値と、１ＳＤ、２ＳＤ、又は３ＳＤとに基づいて、測定ユニットによる検体測定が正常であるか否かを判定する。より具体的には、サーバ４０００は、過去一定時間（例えば、過去２４時間）に受信したコントロールデータ４０２０の平均値と標準偏差１ＳＤ、２ＳＤ、又は３ＳＤとに基づいて、検体測定が正常であるか否かを判定する。１ＳＤ、２ＳＤ、３ＳＤは、それぞれ、受信した測定データが正常か否かの基準値となり得るものであり、各施設によって基準値として１ＳＤ、２ＳＤ、３ＳＤのどれを使用するかが選択されており、選択された基準値が判定に用いられる。かかる判定結果も、モニタリングデータベース４０５０ＤＢに登録される（ステップＳ２７２）。
【０１５０】
サーバ４０００は、図２９のステップＳ１１８で送信された、判定結果４０１０に関連する通信データを受信すると（ステップＳ２８１）、その判定結果４０１０を判定結果データベース４０１０ＤＢに蓄積する（ステップＳ２８２）。必要に応じて、後述する３−７．に述べる処理を行ってもよい。
【０１５１】
サーバ４０００は、図２９のステップＳ１２０、１２２、１２３で送信された、通信データを受信すると（ステップＳ２９１）、その通信データを検体処理装置動作データベース４０４０に蓄積する（ステップＳ２９１）。
【０１５２】
４−８．生成装置の動作
生成装置３０００は、検体分析装置２０００が生成した判定結果４０１０に基づいて、モニタリングデータ４０５０を生成する。上記１−１．の各用語についての説明は、ここに援用される。
【０１５３】
図３１を用いて、モニタリングデータ４０５０の生成処理の例を説明する。はじめに、生成装置３０００の処理部７１０ａは、例えば、試料の情報を経時的に取得する（ステップＳ４０１）。次に、処理部７１０ａは、動作の情報を取得する（ステップＳ４０２）。処理部処理部７１０ａは、取得した情報を、記憶部に記憶し、モニタリングデータ４０５０（ユーザ−インタフェース）を生成する（ステップＳ４０３）。生成されたモニタリングデータ４０５０は、生成装置３０００の補助記憶部７１０ｄに記憶されるか、生成装置３０００の通信部７１０ｇを介してサーバ４０００に送信される。ステップＳ４０１とステップＳ４０２の処理は順不同、若しくは同時であってもよい。
【０１５４】
生成装置３０００の処理部７１０ａは、さらに、前記割合を前記指標と比較して、指標の範囲から、前記割合が逸脱した際に警告を表示するための処置を行って、精度管理装置として機能してもよい。
【０１５５】
５．体分析装置の状態を管理するためのモニタリング方法
本開示のある実施形態は、検体分析装置の状態を管理するためのモニタリング方法に関する。上記２．の各用語についての説明は、ここに援用される。
【０１５６】
モニタリング方法は、前記状態をモニタリングするための試料から前記検体分析装置が取得した測定データに関連する情報を示す試料の情報領域と、前記検体分析装置の動作に関連する情報を示す動作の情報領域とを関連づけて時系列で表示するための出力データを生成する工程を含む。また、モニタリング方法は、前記出力データをモニタリングする工程を含む。モニタリングは、試料の情報領域及び／又は動作の情報領域を観察し、管理対象の検体分析装置２０００から取得された精度管理の情報が、精度不良を示していないかどうかを観察する。例えば、管理対象の検体分析装置２０００から取得された精度管理の情報をその精度管理の項目の基準範囲と比較し、精度管理情報が基準範囲内である場合には、精度は良好であると判定することができる。精度管理の情報が、基準範囲外である場合には、精度は不良であると判定することができる。この判定は、生成装置３０００の処理部７１０ａ、又はサーバ４０００の処理部、ヒトが行うことができる。精度管理の情報の基準範囲は、精度管理データ４０５０に含まれていてもよい。また、精度が不良であると判定された場合に、例えば図３の符号Ｂ７、図４の符号Ｃ４及び図５の符号Ｄ５のような警告を表示してもよい。警告の形態は制限されない。
【０１５７】
また、上記４．で述べたモニタリングデータの生成システム７０００は、検体分析装置２０００のモニタリングシステムと読み替えることができる。したがって、モニタリングシステムの構成は、上記生成システム７０００と同様である。また、生成装置３０００はモニタリング装置と読み替えることができる。したがって、モニタリング装置の構成は、生成装置３０００と同様である。
【０１５８】
したがって、上記４．の各用語についての説明は、ここに援用される。
【符号の説明】
【０１５９】
２０００  検体分析装置
３０００  モニタリングデータの生成装置
７０００  モニタリングデータの生成システム
７１０ａ  処理部
７１０ｇ  通信部
【図１】
2019174424.tif 000004
【図２】
2019174424.tif 000005
【図３】
2019174424.tif 000006
【図４】
2019174424.tif 000007
【図５】
2019174424.tif 000008
【図６】
2019174424.tif 000009
【図７】
2019174424.tif 000010
【図８】
2019174424.tif 000011
【図９】
2019174424.tif 000012
【図１０】
2019174424.tif 000013
【図１１】
2019174424.tif 000014
【図１２】
2019174424.tif 000015
【図１３】
2019174424.tif 000016
【図１４】
2019174424.tif 000017
【図１５】
2019174424.tif 000018
【図１６】
2019174424.tif 000019
【図１７】
2019174424.tif 000020
【図１８】
2019174424.tif 000021
【図１９】
2019174424.tif 000022
【図２０】
2019174424.tif 000023
【図２１】
2019174424.tif 000024
【図２２】
2019174424.tif 000025
【図２３】
2019174424.tif 000026
【図２４】
2019174424.tif 000027
【図２５】
2019174424.tif 000028
【図２６】
2019174424.tif 000029
【図２７】
2019174424.tif 000030
【図２８】
2019174424.tif 000031
【図２９】
2019174424.tif 000032
【図３０】
2019174424.tif 000033
【図３１】
2019174424.tif 000034
【図３２】
2019174424.tif 000035